(57)【要約】【課題】レシーバに機能的に結合する記録／再生装置の動作モードを決定する。【解決手段】レシーバ２２'は多数の伝送テレビジョン信号を受け、該システムは参照チューナ６６及び受信信号検知器６０を有し、参照チューナ６６は伝送されたテレビジョン信号に一致する参照信号を選局し、該信号検知器６０は該レシーバ２２'上に表示されるプログラム信号を検知するシステムにおいて、該参照信号から記録／再生装置９４の動作モードを決定し、該記録／再生装置からの信号を決定すると共にプログラム信号を決定するためのプロセッサを配置する。【選択図】図３Ａ
2004040822.tif 000002
【特許請求の範囲】
【請求項１】
　レシーバに機能的に結合する記録／再生装置の動作モードを決定するためのシステムであって、
　該レシーバは多数の伝送テレビジョン信号を受け、該システムは参照チューナ及び受信信号検知器を有し、参照チューナは伝送されたテレビジョン信号に一致する参照信号を選局し、該信号検知器は該レシーバ上に表示されるプログラム信号を検知するシステムにおいて、該参照信号から記録／再生装置の動作モードを決定し、該記録／再生装置からの信号を決定すると共にプログラム信号を決定するためのプロセッサが配置されることを特徴とするシステム。
【請求項２】
　該記録／再生装置からの信号と、該参照信号が適合し、且つ該記録／再生装置からの信号と該プログラム信号が適合するならば、該記録／再生装置が記録動作モードであり、且つ記録されるプログラムが該レシーバの制御の基にあることを決定する様に該プロセッサが配置されることを特徴とする請求項１記載のシステム。
【請求項３】
　該記録／再生装置からの信号と該参照信号が適合し、且つ該記録／再生装置からの信号と該プログラム信号とが不適合ならば、該記録／再生装置が記録操作モードであり、且つ記録されるプログラムは該レシーバの制御の基にはないということを決定するためのプロセッサが配置されることを特徴とする請求項１記載のシステム。
【請求項４】
　該記録／再生装置からの信号と該参照信号とが不適合であり、且つ該記録／再生装置からの信号と該プログラム信号とが適合するならば該記録／再生装置は再生動作モードにあることを決定するためのプロセッサが配置されていることを特徴とする請求項１記載のシステム。
【請求項５】
　該レシーバ信号検知器は非侵入レシーバ信号検知器であることを特徴とする請求項１記載のシステム。
【請求項６】
　第１信号検知器は該記録／再生装置の出力から第１信号を検知する様に配置され、第２信号検知器は該参照チューナの出力から第２信号を検知する様に設けられ、該プログラム信号は第３信号であり、該第４検知器は該記録／再生装置の記録表示信号を検知するために配置され、該プロセッサは該第１、第２、第３及び該記録表示信号に依存する該記録／再生装置の動作モードを決定するために配置されることを特徴とする請求項１記載のシステム。
【請求項７】
　該プロセッサは、該記録表示信号が存在し該第１、第２信号が適合し、該第１及び第３信号が適合するならば該記録／再生装置記録操作モードであると共に記録されるプログラムが、該レシーバの制御の基にあることを決定するために配置されることを特徴とする請求項６記載のシステム。
【請求項８】
　該プロセッサは該記録表示信号が存在し、該第１及び該第２信号が適合し、該第１及び該第３信号が不適合であるならば該記録／再生装置が記録動作モードであると共に記録されるプログラムが、該レシーバの制御下にないということを決定するために配置されることを特徴とする請求項６記載のシステム。
【請求項９】
　該プロセッサは該記録指示信号が存在せず、該第１及び該第２信号が適合せず且つ該第１及び該第３信号が適合するならば、該記録／再生装置が再生操作モードであることを決定するために配置されていることを特徴とする請求項６記載のシステム。
【請求項１０】
　該プロセッサは該記録表示信号が存在せず、該第１及び該第２信号が適合すると共に該第１及び該第３信号が適合するならば、該レシーバが該記録／再生装置に選局されているか、あるいは該記録／再生装置が巻き戻し状態にあることを決定するために配置されていることを特徴とする請求項６記載のシステム。
【請求項１１】
　該プロセッサは該記録表示信号が存在せず、該第１及び該第２信号が適合せず、加えて該第１及び該第３信号が不適合であるならば該記録／再生装置が非操作モードであるか、または該記録／再生装置がレシーバ操作モードであるかを決定するために配置されることを特徴とする請求項６記載のシステム。
【発明の詳細な説明】
【技術分野】
【０００１】
　本発明はテレビジョン視聴者調査の分野に関連し、更に詳細には、統計的に抽出された家庭内における信号源から発生するテレビジョン信号の検知に関するものである。
【背景技術】
【０００２】
　本件発明と同一の出願人に譲渡され、その開示が本件に参考までに組み入れられたトーマスらによる米国特許５４８１２９４に開示されている如く、統計的に選択された家庭において、テレビジョン或いはラジオレシーバの視聴者により見られたり、聞かれたりして選択された信号（例えばテレビジョン或いはラジオ）がテレビジョン成いはラジオが選択されたチャンネルを決定することにより決められる。
【０００３】
　このチャンネル情報は中央データ収集オフィスにより検索のために地域的に蓄積される。中央データ収集オフィスは、視聴者が選択したテレビジョン或いはラジオプログラムを決定することが出来る様に、検索されたチャンネル情報をどの局がどのチャンネルに一致するのかを示すケーブル／ステーション記録に適合させると共に／或いはチャンネル情報を、チャンネル上を伝送されるテレビジョン或いはプログラム記録リストに適合させる。
【０００４】
　トーマスらによる米国特許５４８１２９４に記載される如く信号源の数、チャンネルの数、チャンネル番組表示の変更及び／或いはテレビジョンやラジオのプログラム数の増加により、この過程は取り扱いにくいものと成っており、チャンネルとプログラムとの間の一致を提供するプログラム記録リストにおいて不具合が有る場合、使用出来るデータを作成することが困難となる。
【０００５】
　抽出された家庭内の信号及びチャンネルから入手されるプログラム及び／又は局のトラックを維持することにより電線／局の記録及び／又はプログラム記録リストの複雑化を防止するように、いくつかの試みが提案されている。一例として、プログラムに組み込まれた確認コードを読みとると共に、テレビジョンやラジオが選局されているプログラムを確認するための補助コードを用いるプログラムモニター機構が採用されている。
【０００６】
　他の例によれば、抽出された家庭で使用（即ち、信号がテレビジョン信号であれば見るために、或いは信号がラジオ信号であれば聞くために）のために、選択されたプログラム信号から抽出されるプログラムは選択されたプログラムを確認することが出来る様に、プログラムサインを先に抽出された参照サインと適合させるという効果において、先に抽出された参照サインと後に比較される。
【０００７】
　従って、このサインの一致はプログラム信号の周波数より少ないサンプル周波数を用いる相互関係システムである。
【０００８】
　選択された家庭におけるその様なモニター装置は補助コード或いはプログラムサインに付加した時間的刻印を収納している。時間的刻印は選択されたプログラムに関する見る及び／又は聞く時間及び日付を決定するために用いられる。
【０００９】
　両者共に本件発明と同一出願人に譲渡されるトーマスらによる米国特許５４２５１００及び米国特許５５２６４２７は、プログラム分配ネットワークの様な過程を通過する様にプログラムに連続的に付加される。補助プログラム認識コードを読みとることにより伝送されるプログラムを認識するためにヘラシカル、マルチレベルエンコード装置を教示している。米国特許５４２５１００及び米国特許５５２６４２７は参考までに本件に組み入れられている。
【００１０】
　伝送されるプログラムに付加される補助コードを採用する他のプログラムモニターはHaselwoodらによる米国特許４０２５８５１及Crosbyによる米国特許３８４５３９１に教示されている。
【００１１】
　一方的に補助コードに依存するプログラムモニターシステムは補助コードが故意や偶然によりプログラム信号から除外された時は不正確な結果となる。原プログラム信号に補助コードが付加される時でも、プログラム信号が見られたり聞かれたりする前に補助コードが故意に取り除かれる危険がある。
【００１２】
　例えば補助コードは、それらが視聴者に見つからない様に、或いはそれらが視聴者により最小限見えるよりも少なく目に付く様に、ビデオ或いはオーディオプログラムに組み入れられており、ビデオ或いはオーディオプログラム信号が圧縮（例えば、デジタルテレビジョン信号を用いるＭＰＥＧII圧縮構成により圧縮される）される時、ビデオ或いはオーディオプログラム信号から抽出される。
【００１３】
　さらに、プログラム信号のうちのビデオプログラムの垂直ブランク間隔（ＶＢＩ）に挿入され、及び、使用者のテレビジョンレシーバにより受信される様に信号伝達回路を通る補助コードはビデオがテレビジョンのＣＲＴに供給される前にビデオから取り除かれる。
その結果ＶＢＩ補助コードがビデオから取り除かれた後、チューナによりＣＲＴに送られたビデオを送信するプローブを通常要求するものであり、非現実的なものとなる。
【００１４】
　それ故に、モニター装置のコードが補助コードが存在するテレビジョンレシーバのビデオテスト部に結線されることが可能である様にモニタテレビジョンレシーバが開かれるならば、垂直ブランク領域にある補助コードはさらに簡単に検知される。しかしながら、その様な取り決めは押しつけがましく、統計的に抽出された家庭の人々による拒絶を招くことになる。
【００１５】
　上記した様なサイン照合システム以外の信号照合プログラムモニタシステムは見たり聞いたりされるプログラムの信号源（即ち、チャンネル）を決定することが出来る様に用いられている。
【００１６】
　周知の信号比較プログラムモニタシステムは、テレビジョンチューナにより選択されたテレビジョンプログラム信号を、参照チューナにより選択されたプログラム信号にある同期成分と比較する。この様な信号比較プログラムモニタシステムは２つの同期成分を多少の所定誤差の中に適合させる時、参照チューナにより選択された信号源に視聴を貸与する。
【００１７】
　この目的のための垂直同期信号の位相比較によるプログラムモニタシステムの教示がCurreyの米国特許３３７２２３３にてなされている。Curreyの方針は異なる信号源からの垂直同期成分が、時々適合してしまう時があるということより完全に充分なものではない。この様な形での適合はプログラム源計測を曖昧なものとしてしまう。
Solarによる米国特許４７６４８０８及びGallによる米国特許４８４７６８５は改良された同期成分計測システムを提供するものであるが、Curreyの試みの基本的な欠点を全て克服するものではない。
【００１８】
　米国特許５２９４９７７においてFisherらはその様な位相一致を妨げる制限された環境における同期成分計測システムを開示している。他の信号比較プログラムモニタシステムはモニタされているレシーバから抽出されるレシーバ信号を、モニタレシーバが選局されている信号と比較される。この比較システムはモニターされているレシーバからの信号と、参照チューナからの参照信号との間の比較が所定値を越える時、見たり聞いたりされているチャンネルと決定される。
【００１９】
　Kiewitらによる米国特許４６９７２０９によれば見られているテレビジョンプログラムの家庭での認識という目的にとって最初に用いられるものであり、この開示は本件に参考までに取り入れられている。このKiewitらの教示はビデオ成分或いはレシーバ信号のうちオーディオ成分から抽出されるサインの使用と、成分を入手するための非侵入センサーの使用による操作利点を議論するトーマスらによる米国特許５４８１２９４により拡張されている。
【００２０】
　さらなる比較プログラムモニタシステムはＡ．Ｃ Nielsen株式会社により１９８４年に販売されReal Time Correlation（ＲＴＣ）システムに本質的に属するものである。ＲＴＣシステムは（１）垂直同期成分の一致と（２）未知の信号の一致のためのオーディオ相関の組み合わせを用いている。ＲＴＣシステムは垂直同期成分の適合を基にして予備相関を最初に作成することによりそれを行っていた。
【００２１】
　しかしながら、この予備相関は、もし未知の信号が例えばローカルケーブル端末において生じるいくつかの同期信号の一つであればユニークなものではない。
【００２２】
　それ故に、モニターテレビジョンから選択され伝達される信号を、参照チューナからの参照信号のオーディオ成分と相関し、それらの同期成分が伝達される信号の同期成分に適合することによりＰＣＴシステムは曖昧さを解消する。
【００２３】
　相関プログラムモニタシステムはコード読みとりプログラムモニタシステムに対し、さらに強く又信号減衰による影響がより少なくなる。それにより、２つの信号（例えば統計的に抽出された家庭におけるテレビジョン視聴地にあるモニタテレビジョンにより選択されたレシーバ信号、及び異なる地域の照合地での参照チューナにより選択された参照信号）は２つの信号が実際に伝送された両者が高品質の写しとして相関される時、最高に機能する。
【００２４】
　もし仮にモニターテレビジョンにより選択されたレシーバ信号の様な相関信号の内の一つがテレビジョン視聴地において非侵入センサーにより抽出されるならば、また、参照チューナにより選択された参照信号の様な他に相関信号が異なる地域の参照サイトにおけるチューナのオーディオ或いはビデオ回路から受け取られるとするならばテレビジョン視聴サイトにおける非侵入計測により導入された構成が、レシーバと参照信号との間の相関に不運な衝撃を持つであろう。
【００２５】
　その様な構成を減じるために、上記した米国特許５４８１２９４において上記したトーマスはレシーバ視聴サイトにおける非侵入のマイクロフォンによって入手したオーディオ信号からのバックグラウンドノイズを押さえたり、取り除くことを教示している。
【００２６】
　信号相関システムに対する他の問題として信号相関システムは計測される地方マーケットがどの様なマーケットであるにしろ、各々のプログラム信号源から伝送される信号をモニタする装置による参照サインの進行相関を要しサインベースプログラムモニタシステムの操作コストが補助コードによる比較プログラムモニタシステムの操作コストよりも極めて高いことである。
【００２７】
　すべてに対する、或いはすべてに近い問題としてプログラムモニタシステムは家庭内において生じる信号源から立ち上がることである。この様な信号源はモニタテレビジョン表示を使用するコンピュータ、ビデオゲームを含むこともあり、また、先だって記録されるか或いはレンタルカセット（或いはテープ）に記録されているプログラム信号を表示するビデオカセット（或いはゲーム）レシーバを有することもある。
【００２８】
　地方的に作成された信号を受信するテレビジョンレシーバの使用は、従来のテレビジョン視聴者計測に対応しないという理由より地方信号源の使用が下記の一つの例外で“Households receiver”（ＨＵＴ）と呼ばれる長く築かれていた視聴者計測パラメータから機能的に除外される。
【００２９】
　さらに仮に地方的信号源が確認されないならば、プログラムモニタシステムは（１）リモート信号源を基にして視聴を間違って計数するであろうし（２）非確認としてのローカル信号源に基づいた視聴を番号付けするであろう。
【００３０】
　いずれにしろ、ローカル信号源に基づく視聴は曖昧さを作るであろう方向にあるプログラムモニタシステムにより報告されるＨＵＴ値に貢献する様に含まれるであろう。上記された例外は後に視聴するであろうＶＣＲｓによるプログラムに関している。
【００３１】
　報告ＨＶＴ値は記録時或いは巻き戻し時の何れかにおける時間移行回数を概略的に計数するものであり、記録及び巻き戻しを両方計数しない。記録及び巻き戻しの両方を計数しないことによりダブル計数が防がれる。
【００３２】
　計数が記録時或いは巻き戻し時に行われ、プログラムモニタシステムは伝送されたプログラムのみに対抗し、且つ、レンタルした映画の様な非伝送プログラムの計数を防ぐ。またＶＣＲは非記録モードにおけるモードの数を有する。例えば、モニタモードにおいてＶＣＲは連続的に選択された伝送プログラム信号を通す様に使用され、これにより信号が、テレビジョンで見られしかしながらＶＣＲは信号を連続的に記録しない。
【００３３】
　選局／記録モードにおいてＶＣＲは見るか聞くかの両方のために連続的に選択伝送されるプログラムを通すために使用される。
【００３４】
　非選局／記録モードにおいて、ＶＣＲはテレビジョン上でのプログラムの連続的視聴なしにプログラムの記録のために使用され、これによりプログラムは時間移行再生のために記録される。再生モードにおいて、ＶＣＲは選局移行記録の様な伝送された媒体や、レンタルされた映画の様な非伝送媒体を再生するために使用される。オフモードにおいてはＶＣＲはオフされている。この様なモードの数により、ＶＣＲは困難なプログラムモニタチャレンジの一つである。
【００３５】
　抽出された家庭におけるＶＣＲｓの早期計測はコントロールスイッチ及びＶＣＲｓのチューナのモニタを改良した。
【００３６】
　このモニターは記録される時にプログラム評価に繋がる記録計数に結果とされることに加えて、プログラム評価に寄与しないすべての他の使用の確認に結果とされる。
【００３７】
　この様に例えば記録がＨＵＴ画像として計数される時、すべての再生動作が非ＨＵＴ使用であるとして計数される。肉体的にスイッチモニタ機器をＶＣＲスイッチに連結出来る様に、ＶＣＲｓの早期計測は複雑で高価な分解と消費部品の変形を改良した。続いてＶＣＲ計測の改良は悪さを言われなく、且ついくつかの全体的に悪さを言われない不可欠の信号を得る方法を提供した。
【００３８】
　米国特許４６３３３０２においてDamociは計測されたＶＣＲは選局した信号を記録することが出来る様にＶＣＲの消去ヘッドの出力からの構成品を集める方法を教示している。
【００３９】
　Vittらは米国特許５１６５０６９において身分情報（３０及び７５ＫＨｚの間にある連続周波数（ＣＷ）となる異なる製品により通常選択される感知された消去ヘッド出力を含む）が、それに近接しているがＶＣＲのハウヂングに配置されるセンサ或いはピックアップから得られる。Vittらの開示はここでは参考までに組み入れられる。
【００４０】
　Mostafaは米国特許５４９５２８２においてＶＣＲに記号化された同一信号を注入し、ＶＣＲからのＲＦ出力にある信号を検索することにより、ＶＣＲの動作を監視する非侵入構成を教示している。まだＶＣＲｓの監視はこれまでも難しい問題となっている。
【００４１】
【特許文献１】米国特許第４０２５８５１号
【特許文献２】米国特許第３８４５３９１号
【特許文献３】米国特許第３３７２２３３号
【特許文献４】米国特許第４７６４８０８号
【特許文献５】米国特許第４８４７６８５号
【特許文献６】米国特許第５２９４９７７号
【特許文献７】米国特許第４６９７２０９号
【特許文献８】米国特許第４６３３３０２号
【特許文献９】米国特許第５１６５０６９号
【特許文献１０】米国特許第５４９５２８２号
【発明の開示】
【発明が解決しようとする課題】
【００４２】
　本発明は、上記した問題のいくつかを解消するものである。
【課題を解決するための手段】
【００４３】
　本発明は、レシーバに機能的に結合する記録／再生装置の動作モードを決定するためのシステムであって、該レシーバは多数の伝送テレビジョン信号を受け、該システムは参照チューナ及び受信信号検知器を有し、参照チューナは伝送されたテレビジョン信号に一致する参照信号を選局し、該信号検知器は該レシーバ上に表示されるプログラム信号を検知するシステムにおいて、該参照信号から記録／再生装置の動作モードを決定し、該記録／再生装置からの信号を決定すると共にプログラム信号を決定するためのプロセッサが配置されることを特徴とする。
【００４４】
　ここで、該記録／再生装置からの信号と、該参照信号が適合し、且つ該記録／再生装置からの信号と該プログラム信号が適合するならば、該記録／再生装置が記録動作モードであり、且つ記録されるプログラムが該レシーバの制御の基にあることを決定する様に該プロセッサが配置されてもよい。
【００４５】
　また、該記録／再生装置からの信号と該参照信号が適合し、且つ該記録／再生装置からの信号と該プログラム信号とが不適合ならば、該記録／再生装置が記録操作モードであり、且つ記録されるプログラムは該レシーバの制御の基にはないということを決定するためのプロセッサが配置されてもよい。
【００４６】
　また、該記録／再生装置からの信号と該参照信号とが不適合であり、且つ該記録／再生装置からの信号と該プログラム信号とが適合するならば該記録／再生装置は再生動作モードにあることを決定するためのプロセッサが配置されてもよい。
【発明を実施するための最良の形態】
【００４７】
　トーマスによる米国特許５４８１２９４により教示される性能を有するテレビジョン視聴測定機構１０が図１に模式的に示されている。
【００４８】
　多数のプログラム送信器１２（ここでは地上波を示しているが、これに加えてCATVや衛生放送などのプログラム信号を伝送するものであっても良い）は、統計的に選択された家庭に受信される。
【００４９】
　同一のプログラム送信器１２からの同一プログラムは特定の場所にある傍受所在地１６でも受信される。
【００５０】
　概略的に見て、テレビジョン視聴者計測システム１０の狭い土地の傍受所在地１６は計測される市場領域に対応して位置付けられる必要は無いと共に、広い範囲にわたる市場内に位置する統計的に選択される家庭１４のような多数の選択された家庭に機能するものであっても良い。
【００５１】
　また、対応する狭い土地の測定所在地１６を有すると共に、複数の統計的に選択された家庭１４として機能する狭い領域の測定所在地１６が存在する。
【００５２】
　統計的に選択された全ての家庭及び狭い土地にある全ての傍受所在地はデータを中央所在地１８に伝達する。
【００５３】
　プログラム送信器１２により送信されるプログラムと共に、送信される認識コードあるいはその様なプログラムに特有のプログラム信号を有するデータは統計的に選択された家庭１４及び狭い領域の測定所在地１６の両者により受け取られた送信プログラムから抽出されると共に、統計的に選択された家庭１４及び狭い領域の傍受所在地１６から送られた抽出データは中央所在地１８に送信される。
【００５４】
　中央所在地１８は統計的に選択された家庭１４及び狭い領域の傍受所在地１６からのデータ及び、狭い領域の傍受所在地１６の受信領域内に配置される、他の統計的に選択された全ての家庭からのデータや、全ての他の狭い領域の傍受所在地内にある全ての統計的に選択された家庭、及び、すべての他の狭い領域の傍受地からのデータに基づいたテレビジョン視聴者レポートを編集する。
【００５５】
　米国特許５４８１２９４におけるトーマスの教示に従えば、統計的に選択された家庭１４内に配置されるテレビジョン視聴者計測システム１０の一部が図２にさらに詳細に図示されている。
【００５６】
　ここで図示される如く、プログラム送信器１２は概略的にアンテナで示されるもののみならず、ケーブル入力、衛星アンテナ等の他のタイプのプログラム入力器２０にプログラム信号を伝達する。
【００５７】
　信号入力器２０により受け取られたプログラム信号は多数のチャンネルのテレビジョンプログラムを含んでおり、統計的に選択された家庭１４に有る１個或いはそれ以上のテレビジョン受信器２２、２２’に送られる。
【００５８】
　テレビジョン受信器２２、２２’の各々は対応する（即ち、非伝送の）ビデオ信号源２４、２４’を有する。
【００５９】
　例えば、テレビジョン受信器２２に関連する局所的なビデオ信号源２４はビデオゲーム２６であり、テレビジョン受信器２２’に関してはＶＣＲ２８である。
【００６０】
　ビデオ信号源２４、２４’はそれらの出力ビデオ信号を対応するテレビジョン受信器２２、２２’に送る。
【００６１】
　マイクロフォン、光検知器、誘電ピックアップやその他の非侵入信号検知器３０がテレビジョン受信器２２に選択されたプログラム信号の画像を得るために配置されている。
【００６２】
　それらの画像は、例えば米国特許５４８１２９４に記載される様に処理回路３２により処理される。
【００６３】
　処理された画像はコードリーダ３４及び信号抽出器３６へと送られる。
【００６４】
　コードリーダ３４及び信号抽出器３６は処理された画像からデータを識別するプログラム作成する。
【００６５】
　このようにして、例えば、コードリーダ３４は処理された画像からの補助コードを読みとり、また、信号抽出器３６は処理された画像からの信号を抽出する。
【００６６】
　コードリーダ３４及び信号抽出器３６により抽出されたデータは、搬送媒体４０を通って中央所在地１８への伝達のためにデータ貯蔵および遠隔通信処理器３８に送られる。
【００６７】
　搬送媒体４０上を統計的に選択された家庭１４と中央所在地１８との間にデータが伝達される時は必ず、データ貯蔵および遠隔通信処理器３８に関連するローカルクロック４２は中央所在地１８にあるマスタークロックと通常同期している。
【００６８】
　搬送媒体４０は例えば、一般的に交換される電話網である。
【００６９】
　同様にして、テレビジョン受信器２２’を見るために選択されたプログラム信号の画像を得るために、非侵入信号検出器３０’が配置されている。
【００７０】
　それらの画像は処理回路３２’により処理される。処理された画像はコードリーダ３４’および信号抽出器３６’へと伝達される。コードリーダ３４’および信号抽出器３６’は処理された画像からのデータを認識するためのプログラムを作成する。
【００７１】
　この様に、例えばコードリーダ３４’は処理画像からの補助コードを読みとり、信号抽出器３６’は処理画像から信号を抽出する。コードリーダ３４’により読みとられ、且つ信号抽出器３６’により抽出されたデータを認識するプログラムは中央所在地１８へ伝達される様にデータ貯蔵および遠隔通信処理器３８へと伝送される。
【００７２】
　ピープルメータ４３がテレビジョン受信器２２に関連して設けられている。このピープルメータ４３はテレビジョン受信器２２の視聴者の見るチャンネルの決定や認識などの回答者の習慣を計測するものであれば、Nielsen Media Research Incにより使われるどのようなピープルメータであれば良い。
【００７３】
　図３Ａ及び図３Ｂは図２で示される様に統計的に選択された家庭１４内に配置されるテレビジョン視聴者計測システム１０の一部として用いられ、テレビジョン受信器２２’の様な部分信号源を正確に決定するのに適している。もし必要であれば、狭い領域の測定所在地は省略することが可能である。
【００７４】
　しかしながら、統計的に選択された家庭１４が存在する市場において通用するすべての信号を統計的に選択される家庭のすべてが受信出来ない市場においては必要となるであろう。
【００７５】
　図３に示される如く、信号入力器４６でアンテナとして概略的に示されているが、例えばケーブル入力、衛星アンテナやその他、プログラム送信器１２により送られるプログラム信号を受けるものであれば良い。
【００７６】
　信号入力器４６により受信されるプログラム信号は分配器４８により家庭にある娯楽設備５０およびチャンネル選択装置５２に伝送される様に分配される。
【００７７】
　テレビジョン受信器２２’により表示されるビデオやオーディオという部分的信号源を決定することにおいて、テレビジョン受信器２２’出力信号は信号源となる。
【００７８】
　家庭にある娯楽機器５０およびチャンネル選択装置５２は、統計的に選択された家庭１４内に配置されている。知られている様に、家庭にある娯楽機器５０の使用者は、テレビジョンやその他の機器へ選択された信号を伝送することが出来るように極めて多数の接続から選択する。しかしながら、表現の簡潔性のために、使用者によりなされた複数の接続は図３には示されてはいない。
【００７９】
　多くの場合、選択された信号はＶＣＲ２８を通って接続されるテレビジョンレシーバ２２’へと供給される。
【００８０】
　この伝送は通常ＶＣＲ２８のＲＦ出力部からテレビジョンレシーバ２２’のＲＦ入力部への適宜のケーブルにより達成されるが、この信号はＶＣＲ２８のＶＣＲ基本周波数オーディオ出力からの基本周波数オーディオ信号および、ＶＣＲ２８のＶＣＲ基本周波数ビデオ出力からの基本周波数ビデオ信号としてテレビジョンレシーバ２２’へと伝送される。
【００８１】
　しかしながら、プログラム信号源検知器４４のためにＶＣＲ２８のＶＣＲオーディオ出力５６はＶＣＲ２８の基本周波数オーディオ出力であってもよく、またＶＣＲ２８のＶＣＲビデオ出力５８はＶＣＲ２８の基本ビデオ出力であっても良い。
【００８２】
　ここでは“TV mode”と呼ぶが、ＶＣＲ２８の一つの操作モードにおいて、信号入力器４６からのＲＦ信号はテレビジョンレシーバ２２’へと直接伝送され、そしてＶＣＲ２８は通過過程には含まれてはいない。ＶＣＲ２８がこのモードにある時は必ずこのＶＣＲ２８は電源投入されていない。
【００８３】
　ここでは“VCR TUNE”と呼ぶが、他のモードにおいてＶＣＲ２８内にあるチューナは信号入力器４６により受けられる多数のプログラム信号のうち一つのプログラムを選択し、且つＶＣＲ２８の出力としての選択された信号をテレビジョンレシーバ２２へと供給する。
【００８４】
　ここでは“PLAY”と呼ぶ他のモードにおいて、ビデオカセット（或いはテープ）に記録されている信号はＶＣＲ２８によりテレビジョンレシーバ２２’へと供給される。
【００８５】
　ここでは“RECORD”と呼ぶさらに他のモードにおいて、後に見るためにＶＣＲ２８により記録される。
【００８６】
　ＶＣＲ２８がRECORDモードにある時、新しい信号が記録される前にカセット（或いはテープ）に記録されている古い信号を消去するために、消去ヘッドが電力付勢される。消去ヘッドの動作はいくつかの消去ヘッドの作動音を検出することにより検知される。
【００８７】
　Vittらによる米国特許５１６５０６９に述べられている如く、この検知はＶＣＲ28に近接して組み入れられた誘導センサーによる非侵入方法によりなされる。
【００８８】
　消去ヘッド信号の変化は、ＶＣＲ２８のいくつかのモデルのＶＣＲオーディオ出力５６から直接検知されることもある。消去ヘッド信号の検知手法は監視されるＶＣＲ２８の特定モデルに依存する。
【００８９】
　消去ヘッドの信号変化がＶＣＲ２８のＶＣＲオーディオ出力５６から直接検知出来ないならば、プログラム信号源４４は、Vittらにより開示される種類の放射信号ピックアップ（図示していない）からの入力を採用する様にしても良い。
【００９０】
　図３に示される如く、テレビジョンレシーバ２２’が電力付勢されている時は必ずテレビジョンレシーバ２２’からの多種類信号成分から成る画像を得るために３種類の非接触センサー３０’が採用されている。それらの３種類の非接触センサーは（１）１９９６年５月２８日に出願された出願番号０８／６５４３０９に開示される型式のテレビ信号ピックアップ６０であり、このピックアップはテレビジョンレシーバ２２’に近接して配置され、テレビジョンレシーバ２２’の垂直および水平同期パルスの画像を抽出するテレビ信号ピックアップ６０と（２）１９９６年５月２８日に出願された出願番号０８／６５４３０９に開示され、テレビジョンレシーバ２２’により表示されるビデオ信号の画像を抽出するビデオ信号ピックアップ６２と（３）米国特許５４８１２９４においてトーマスらに教示され、次の適合動作のための表示されたプログラム信号のオーディオ部分を抽出するために使用されるオーディオ信号ピックアップ６４から成る。
【００９１】
　ビデオ信号ピックアップ６２は全てのビデオ信号を補足出来ないが、ここに示される適合動作が、多種類のビデオ信号の中間周波数成分のみを使用出来るために、本件発明の全体計測システムにおいてはビデオ信号ピックアップ６２が全てのビデオ信号を計測出来ないことは問題ではない。
【００９２】
　また、ビデオ信号ピックアップ６２はテレビジョンレシーバ２２’の近くに配置され、また、垂直ブランク領域は通常テレビジョンレシーバ２２’のＣＲＴビデオに供給されることが無いために、ビデオ信号ピックアップ６２はビデオ信号の垂直ブランク領域に含まれる画像を補足出来ない。
【００９３】
　従って垂直ブランク領域に設けられる補助コードはビデオ信号ピックアップ６２の出力から読みとることは不可能である。ビデオ信号ピックアップ６２とオーディオ信号ピックアップ６４の両者は、それらの出力レベルを両者が適合されることに対してＶＣＲビデオ出力５８とＶＣＲオーディオ出力５６から得られる工業的に標準となる出力レベルに合わせられることが当業者においては容易に理解される。
【００９４】
　もし仮に、テレビジョンレシーバ２２’が外部ビデオジャックを有するものであれば、そのビデオジャックはビデオ信号ピックアップ６２及び画像ピックアップ６０の代わりに使用することが可能である。
【００９５】
　同様にして、仮にテレビジョンレシーバ２２’に外部オーディオジャックが設けられていると、この外部オーディオジャックはオーディオ信号ピックアップ６４の代わりに使用されることが可能である。
【００９６】
　プログラム信号源４４であるチャンネル選択装置５２は信号走査チューナ６６を採用する。信号走査チューナ６６は分配器４８により信号入力器４６への通信手段を有すると共に、信号走査チューナ６６はコントローラ６８の制御の基に全ての可能なプログラムチャンネルの全てを走査する。
【００９７】
　コントローラ６８はデジタル信号処理モジュール７１内のデジタル信号プロセッサ７０（これは、Texas Instrument model TMS320C32-60であって良い）に機能するPIC16C65であって良い。デジタル信号処理器７０はサイン抽出器７０'とサイン相関部７０”であって良い。
【００９８】
　信号走査チューナ６６はビデオ出力７２と２つのオーディオ出力７４及び９５（２番目のものはいくつかのテレビジョン伝送信号成分であるSecondary Audio Program（SAP）に関連している）はテレビジョンレシーバ２２’上に表示される信号源を決定することが出来るように整合操作において続いて使用される。図３に示される如く、プログラム信号源検知器は（１）プログラム信号からオーディオプログラムを抽出し（２）プログラム信号からオーディオプログラムサインを抽出し(３)プログラム信号からオーディオ補助コードを抽出し(４)プログラム信号からビデオ補助コードを抽出する。
【００９９】
　それらの検知機構の１つ、或いはそれ以上はテレビジョンレシーバ２２’上に表示される信号のうち部分信号を認識出来るように使用される。例えば、仮に、テレビジョンレシーバ２２’のオーディオ出力から抽出される参照オーディオサインが信号走査チューナ６６のオーディオ出力から抽出される原オーディオサインと適合するならば、或いは、テレビジョンレシーバ２２’のビデオ出力から抽出される参照ビデオサインが信号走査チューナ６６のビデオ出力から抽出されるビデオ信号と適合するならば、テレビジョンレシーバ２２’のチューナがテレビジョンレシーバ２２’により表示される信号源であるとして認識される。
【０１００】
　同様にして、テレビジョンレシーバ２２’のオーディオ出力から抽出される参照オーディオサインがＶＣＲ２８のオーディオ出力から抽出される原オーディオサインと適合するならば、また、テレビジョンレシーバ２２’のビデオ信号ら抽出される参照ビデオサインがＶＣＲ２８のビデオ出力から抽出される原ビデオサインと適合するならば、ＶＣＲ２８がテレビジョンレシーバ２２’により表示される部分的信号源と認識され、仮に、テレビジョンレシーバ２２’のオーディオ出力から抽出される参照オーディオサインがゲーム２６のオーディオ出力から抽出される原オーディオサインと適合するならば、また仮にテレビジョンレシーバ２２’のビデオ出力から抽出される参照オーディオサインがゲーム２６のビデオ出力から抽出される原ビデオ信号に適合するならば、ゲーム２６がテレビジョンレシーバ２２’上に表示される部分的信号源と認識される。
【０１０１】
　チャンネル選択装置５２は、信号入力器４６により受け取られるプログラム信号ＲＦに付加される複数のＲＦプログラム信号を受ける。例えば、それらの他のプログラム信号はアンテナ４６とは異なるアンテナにより受け取られる放送チャンネルや、CATVケーブル（直接受け取られ、或いはケーブル変換器を通して受け取られる）という手段により受け取られるチャンネル或いは衛星アンテナにより受け取られるチャンネルを含む。
【０１０２】
　プログラム信号は信号入力器４６に受け取られ、上記した他のプログラム信号はコントローラ６８の制御のもとに、ＲＦマルチプレクサを通って信号走査チューナ６６の入力に接続される。
【０１０３】
　信号操作チューナ６６からのビデオ出力７２は、信号走査チューナ６６からのオーディオ出力７４及び第２のオーディオプログラム（SAP）出力９５がオーディオマルチプレクサ８６及び参照オーディオマルチプレクサ８８の両者に供給される様に原ビデオマルチプレクサ及び参照ビデオマルチプレクサ８４の両者に供給される。
【０１０４】
　原ビデオマルチプレクサ８２及び参照ビデオマルチプレクサ８４に供給されるのは（１）ＶＣＲ２８からのＶＣＲビデオ出力５８（２）ビデオゲーム２６からのビデオ出力９０（３）テレビジョンレシーバ２２’に使われる第２のＶＣＲ94からのＶＣＲビデオ出力（４）広域衛星放送受信器９８からのビデオ出力９６（５）テレビジョンレシーバ２２’からのビデオ出力１００で有る。
【０１０５】
　同様にして、オーデイオマルチプレクサ８６と参照オーディオマルチプレクサ８８に供給されるのは（１）ＶＣＲ２８からのＶＣＲオーディオ出力５６（２）ビデオゲーム２６からのオーディオ出力１０２（３）第２ＶＣＲ９４からのＶＣＲオーディオ出力１０４（４）広域衛星放送受信器９８からのオーディオ出力１０６（５）テレビジョンレシーバ２２’からのオーディオ出力１０８である。
【０１０６】
　原ビデオマルチプレクサ８２、参照ビデオマルチプレクサ８４、原オーディオマルチプレクサ８６及び参照オーディオマルチプレクサ８８は入力マルチプレクサモジュール１１０を含んでいる。これに加えて、ビデオ信号ピックアップ６２は原ビデオマルチプレクサ８２と参照ビデオマルチプレクサ８４に供給されると共に、オーディオ信号ピックアップ６４は原オーディオマルチプレクサ８６と参照オーディオマルチプレクサ８８に供給される。
【０１０７】
　原ビデオマルチプレクサ８２からの出力はビデオ信号平滑回路１１１とマルチプレクサ１１２を通ってデジタイザ１１４’に送られた後、デジタル信号処理器７０のサイン抽出部へ送られる。
【０１０８】
　同様にして、参照ビデオマルチプレクサ８４からの出力は、ビデオ信号調節器１１３及びマルチプレクサ１１８を通ってデジタイザ１１４’の一入力部に接続され、その後デジタル信号処理器７０のサイン抽出部へと送られる。サイン抽出部７０’は図２の信号抽出器３６と同様にして、原ビデオマルチプレクサ８２と参照ビデオマルチプレクサ８４のうちの選択された一つの信号からビデオプログラムサインを抽出する。
【０１０９】
　従って、サイン相関部７０”はテレビジョンレシーバ２２”、ゲーム２６、ＶＣＲ２８、第２のＶＣＲ９４成いは広域衛星放送受信器９８のいずれがテレビジョンレシーバ２２”により表示されているのかを決定するために、テレビジョンレシーバ２”のビデオ出力から抽出される参照ビデオサインを、ゲーム２６、ＶＣＲ２８のビデオ出力、信号走査チューナ６６、第２のＶＣＲ９４のビデオ出力、広域衛星放送受信器９８から抽出される原ビデオサインと比較する。
【０１１０】
　原ビデオマルチプレクサ８２からの出力はマルチプレクサ１１２、デジタイザ１１４’を通って直接コードリーダ１１４”に接続される。同様にして、参照ビデオマルチプレクサ８４からの出力は、マルチプレクサ１１８及びデジタイザ１１４’を通ってコードリーダ１１４”に接続される。コードリーダ１１４”は図２のコードリーダ３４と類似している。
【０１１１】
　コードリーダ１１４”は原ビデオマルチプレクサ８２の入力の内選択された一つの入力における信号及び参照ビデオマルチプレクサ８４の入力のうち選択された一つの入力における信号から補助コードを抽出する。
【０１１２】
　原オーディオオマルチプレクサノ出力はマルチプレクサ１１２を通ってデジタイザ１１４’の一つの入力に接続され、次にデジタル信号処理器７０のサイン抽出部７０’に接続される。同様にして、参照オーディオマルチプレクサ８８からの出力は、マルチプレクサ１１８を通ってデジタイザ１１４’の入力に接続され、次いでデジタル信号処理器７０のサイン抽出部に接続される。
【０１１３】
　サイン抽出部７０’は原オーディオマルチプレクサ８６及び参照オーディオマルチプレクサのうち選択された一つの入力の信号からオーディオプログラムサインを抽出する。従って、テレビジョンレシーバ２２’のチューナ、ゲーム２６、ＶＣＲ２８、第２のＶＣＲ及び広域衛星放送受信器９８のいずれがテレビジョンレシーバ２２’に表示されている信号源であるかを決定出来る様に、テレビジョンレシーバ２２’のオーディオ出力から抽出される参照オーディオサインをゲーム２６のオーディオ出力、ＶＣＲ２８のオーディオ出力、操作チューナ６６のオーディオ出力、第２のＶＣＲ９４のオーディオ出力及び広域衛星放送受信器９８のオーディオ出力から抽出されるオーディオサインと比較する。
【０１１４】
　原オーディオマルチプレクサ８６からの出力はマルチプレクサ１１２及びデジタイザ１１４’を通ってコードリーダ１１４”に接続される。同様にして、参照オーデイオマルチプレクサ８８からの出力はマルチプレクサ１１８及びデジタイザ１１４’を通ってコードリーダ１１４”にも接続される。コードリーダ１１４”は原オーデイオマルチプレクサ８６の入力及び参照マルチプレクサ８８の入力のうち選択された一つの入力における信号から補助コードを抽出する。
【０１１５】
　同期信号ピックアップ６０により検知される標準同期信号を参照ビデオマルチプレクサ８４の入力のうち選択された一つの入力上の信号から抽出される同期信号と比較するために、参照ビデオマルチプレクサ８４からの出力が同期適合回路１１６に接続される。
【０１１６】
　同期適合回路１１６は、同期信号ピックアップ６０により検出される標準同期信号と、参照ビデオマルチプレクサ８４の入力のうち選択された一つの入力における信号から抽出された同期信号との間の整合をデジタル信号処理モジュール７１に伝達する。
【０１１７】
　この構成において、テレビジョンレシーバ２２’により表示される信号の部分信号源を決定することが出来る様に、テレビジョンレシーバ２２’のビデオ出力から抽出される参照ビデオサインをゲーム２６のビデオ出力、ＶＣＲ２８のビデオ出力、信号走査チューナ６６のビデオ出力、第２のＶＣＲ９４のビデオ出力、広域衛星放送受信器９８のビデオ出力から抽出される原ビデオサインと比較する。
【０１１８】
　逆に或いはこれに加えて、テレビジョンレシーバ２２’により表示される部分信号源を決定することが出来る様に、テレビジョンレシーバ２２’のオーディオ出力から抽出される参照オーディオサインを、ゲーム２６のオーディオ出力、ＶＣＲ２８のオーディオ出力、信号走査チューナ６６のオーディオ出力、第２のＶＣＲ９４のオーディオ出力、広域衛星放送受信器９８のオーディオ出力、その他のオーディオ出力から抽出される原オーディオサインと比較する。
【０１１９】
　信号関連は極めて高価なものである為に、信号走査チューナ６６のビデオ出力及び同期信号ピックアップ６０の適切な同期成分に適合する同期適合回路１１６にデジタル信号処理チューナ７１は信号走査チューナ６６のビデオ出力７２上のビデオ信号を通すことが出来る様に、デジタル信号処理モジュール７１は参照ビデオマルチプレクサ８４を制御する。
【０１２０】
　信号関連は極めて高価なもので有るために、信号走査チューナ６６のビデオ出力７２上のビデオ信号を、信号走査チューナ及び同期信号ピックアップ６０からの同期成分に適合する同期適合回路１１６に信号走査チューナ６６のビデオ出力上のビデオ信号を通す。
【０１２１】
　同期成分の間における同期が検出された時デジタル信号処理モジュール７１は、信号走査チューナ６６のビデオ出力７２に流れるビデオ信号がビデオ信号平滑回路１１１、マルチプレクサ１１２、サイン抽出部７０’へと通す様に原ビデオマルチプレクサ８２を制御すると共に、デジタル信号処理モジュール７１はテレビジョンレシーバ２２’のビデオ出力１００（あるいは６７）上のビデオ信号調節器１１３、マルチプレクサ１１８、及びサイン抽出７０’へと通す様に参照ビデオマルチプレクサ８４を制御する。（ビデオ信号調節器１１３は、ビデオ信号ピックアップ６２からのビデオ信号を用いる時常に通過される）
【０１２２】
　デジタル信号処理器のサイン抽出部７０’とサイン相関部７０’は信号走査チューナ６６により選択されたチャンネルに対応するビデオ信号及びテレビジョンレシーバ２２’により選択されたチャンネルに対応するビデオ信号からビデオサインを抽出、比較する。それらのチャンネルは同期適合回路１１６により同期決定されるチャンネルである。
【０１２３】
　もし適合が見つからなければ、異なるチャンネルに関連する同期適合回路１１６によりテストされることが決定される。従って、コントローラ６８は同期が見られないならば同期発見処理を再開するために信号走査チューナ６６を次のチャンネルに合わせる。
【０１２４】
　ビデオ信号の同期が発見されるならば、テレビジョンレシーバ２２’のチューナがテレビジョンレシーバ２２’により表示される信号源として認識される。
【０１２５】
　これに代えて、同期成分の適合が見られた時、デジタル信号処理モジュール７１は、信号走査チューナ６６のオーデイオ出力７４上のオーディオ信号をマルチプレクサ１１２とサイン抽出部７０’へ伝送すると共にデジタル信号処理モジュール７１はオーディオ出力１０８（あるいはオーデイオ信号ピックアップ６４）上のオーディオ信号をマルチプレクサ１１８とサイン抽出部７０’へと伝送する。デジタル信号処理部７０の信号抽出部７０’とサイン相関部は信号走査チューナ６６により選択された信号に対応するオーディオ信号とテレビジョンレシーバ２２’により選択されたチャンネルに対応するオーディオ信号を抽出し且つ比較する。
【０１２６】
　それらのチャンネルは同期適合回路１１６により同期しているチャンネルである。もし同期が見つからなければ、同期適合回路１１６により見つけられる同期は他のチャンネルのものである。従って、コントローラ６８は信号走査ユニット６６を次のチャンネルに合わせる。同期が見つかれば、オーディオサインを抽出し比較する。オーデイオサインの同期が見つかれば、テレビジョンレシーバ２２’のチューナがテレビジョンレシーバ２２’により表示される信号源として認識される。
【０１２７】
　信号源の一致が認識された後、信号走査チューナ６６のビデオ出力７７上のビデオ信号が有れば、このビデオ信号からの補助コードを読みとることにより信号源の一致が確認される。
【０１２８】
　仮にビデオ信号ピックアップ６２がテレビジョンレシーバ２２’からビデオ信号を抽出するために用いられるならば、また、補助コードがビデオ信号の垂直空白部に挿入されているならば、最近の多くのテレビジョンにおいてビデオ信号ピックアップ６２がビデオ信号を受信する点においてビデオ信号に垂直空白部が存在しないという理由より補助コードはビデオ信号ピックアップ６２上のビデオ信号から読みとることは不可能である。
【０１２９】
　信号走査チューナ６６がテレビジョンレシーバ２２’が選択されるチャンネルに合わされる時、補助コードが信号走査チューナ６６のビデオ出力７２から読みとられる。もし仮に、ビデオ出力１００がテレビジョンレシーバ２２’からビデオ信号を抽出するために用いられるならば、また、ビデオ出力１００が基本周波数に有るならば、また、補助コードがビデオ信号の垂直空白領域に有るならば、垂直空白領域が基本周波数帯に存在するという理由より、補助コードはビデオ出力１００上のビデオ信号から読みとられる。これに代えて、信号走査チューナ６６のオーディオ出力７４上の、あるいはテレビジョンレシーバ２２’のオーディオ出力１０８（あるいは６４）上のオーディオ信号から補助コードを読みとることにより信号源の一致が確認される。
【０１３０】
　信号走査チューナ６６が選局される全てのチャンネルから抽出されるサインが、テレビジョンレシーバ２２’の出力から抽出されるサインと一致しないならば、テレビジョンレシーバ２２’により表示される地域信号源がどの地域信号源かを決定出来るようにテレビジョンレシーバ２２’のビデオ及びオーディオ出力から抽出される参照ビデオ及びオーディオサインが、ゲーム２６のビデオ及びオーディオサインから抽出されるビデオ及びオーディオサインと、ＶＣＲ９４のビデオ及びオーディオサインと、広域衛星放送受信器９８のビデオ及びオーディオサイン対比される。
【０１３１】
　また、ＶＣＲ２８（及び第２ＶＣＲ９４）の様々なモードが本件発明の構成により決定される。
【０１３２】
　図４はＶＣＲのモードをモニター出来る本件発明の図表である。図４に示される如く、ＶＣＲ２８の消去ヘッドが機能しており、ＶＣＲ２８の出力と信号走査チューナ６６の出力が一致し、ＶＣＲ２８の出力とテレビジョンレシーバ２２’の出力とが一致するならば、ＶＣＲ２８はレコードモードであり、記録されるプログラムが同時に見られる。
【０１３３】
　ＶＣＲ２８の消去ヘッドの操作がＶＣＲ２８に関連するＶＣＲ消去検知管１１９からのデジタル信号処理モジュールにより検知される。（また、ＶＣＲ消去検知器１２０は第２のＶＣＲ９４に連係している。）消去ヘッド検知器１１９はVittらに開示される種類のものであっても良い。
【０１３４】
　言い換えれば、コードリーダ１１４は原オーデイオマルチプレクサ８６あるいは参照オーデイオマルチプレクサ８８のいずれかの使用によりＶＣＲ２８のＶＣＲオーデイオ出力５６からＶＣＲ２８の消去信号の作成を検知するために設けられている。ＶＣＲ２８の出力と信号走査チューナ６６との一致が検出されるように、ＶＣＲ２８のビデオ出力と信号走査チューナ６６のビデオ出力が関連つけられている。
【０１３５】
　例えば、デジタル信号処理モジュール７１はビデオ出力７２上のビデオ信号をビデオ信号平滑回路１１１、マルチプレクサ１１２及びサイン抽出部７０’へと通すように原ビデオマルチプレクサ８２を制御し、また、デジタル信号処理モジュール７１はＶＣＲビデオ出力５８上のビデオ信号を、ビデオ信号調節器１１３、マルチプレクサ１１８及びサイン抽出部７０’へと通すように参照ビデオマルチプレクサ８４を制御する。
【０１３６】
　デジタル信号処理器７０のサイン抽出部７０’及びサイン相関部７０”は信号走査チューナ６６により選択されたチャンネルに対応するビデオ信号から、及び、ＶＣＲ２８により選択されたチャンネルに対応するビデオ信号の両者からビデオサインを抽出、比較する。もしそれらのビデオ信号が一致しないならば、コントローラ６８は一致が検出されるまで信号走査チューナ６６を各チャンネルを通して変える。
【０１３７】
　言い換えれば、ビデオ信号処理モジュール７１はオーディオ出力７４上のオーディオ信号をマルチプレクサ１１２及びサイン抽出部７０’へと送ることが出来るように、原オーディオマルチプレクサ８３を制御し、また、デジタル信号処理モジュール７１はＶＣＲオーディオ出力５６上のオーディオ信号をマルチプレクサ１１８及び信号抽出部７０’へと送ることが出来る様に、参照オーディオマルチプレクサ８８を制御する。
【０１３８】
　デジタル信号処理器７０のサイン抽出部７０’及びサイン相関部７０”は信号走査チューナ６６により選択されたチャンネルと対応するオーデイオ信号から、及びＶＣＲ２８により選択されたチャンネルと対応するオーディオ信号からオーディオサインを抽出、比較する。
【０１３９】
　仮に、オーディオサインが一致しないならば、コントローラ６８は信号走査チューナ６６を一致が見られるまで各々のチャンネルを通して変える。ＶＣＲ２８の出力とテレビジョンレシーバ２２’のビデオ出力とテレビジョンレシーバ２２’の出力とが比較される。ＶＣＲ２８の出力とテレビジョンレシーバ２２’の比較はデジタル信号処理モジュール７１により決定されることが可能である。
【０１４０】
　例えば、デジタル信号処理モジュール７１はテレビジョンレシーバ２２’からのビデオ出力１００上のビデオ信号をビデオ信号平滑回路１１１、マルチプレクサ１１２及びサイン抽出７０’へと伝送することが出来るように原ビデオマルチプレクサ８２を制御すると共に、デジタル信号処理モジュール７１はＶＣＲ２８のビデオ出力５８上のビデオ信号をビデオ信号調節器１１３、マルチプレクサ１１８及びサイン抽出部７０’へと伝達することが出来る様に参照ビデオマルチプレクサ８４を制御する。
【０１４１】
　デジタル信号処理器７０のサイン抽出部７０’とサイン相関部７０”はＶＣＲ２８により選択された信号に対応するビデオ信号及びテレビジョンレシーバ２２’により選択されたチャンネルに対応するビデオ信号の両者からビデオ信号を抽出し比較する。
【０１４２】
　これに替わり、デジタル信号処理モジュール７１はテレビジョンレシーバ２２’からのオーディオ出力１０８上のオーディオ信号をマルチプレクサ１１２及びサイン抽出部２２’へと伝送し、またデジタル信号処理モジュール７１はＶＣＲ２８のオーディオ出力５６上のオーディオ信号をマルチプレクサ１１８及びサイン抽出部７０へと伝送する。デジタル信号処理器７０のサイン抽出部７０’とサイン相関部７０”はＶＣＲ２８により選択されたチャンネルに対応するオーディオ信号からオーディオサインを抽出比較すると共に、テレビジョンレシーバ２２’により選択されたチャンネルに対応するオーディオ信号からオーディオサインを抽出、比較する。
【０１４３】
　テレビジョンレシーバ２２’が出力ジャックを有さず、それ故にビデオ出力１００とオーディオ出力１０８が存在せず、また、ビデオ信号ピックアップ６２及びオーディオ信号ピックアップ６４がテレビジョンレシーバ２２’のビデオ及びオーディオ信号を検知するために代わりに使用されるならば、ＶＣＲ２８のビデオ出力５８上のビデオ信号及びテレビジョンレシーバ２２’のビデオ信号６２上のビデオ信号からのサインは上記した様に比較され、あるいは、ＶＣＲ２８のオーディオ出力５６上のビデオ信号及びテレビジョンレシーバ２２’のオーディオ信号ピックアップ６４上のオーディオ信号からのサインは上記した様に比較される。
【０１４４】
　図４に示される如く、ＶＣＲ２８の消去ヘッドが機能し、ＶＣＲ２８と信号走査チューナとの出力が一致しＶＣＲ２８とテレビジョンレシーバ２２’の出力が一致しないならば、ＶＣＲ２８はレコードモードであるが、記録されるプログラムはテレビジョンレシーバ２２’上では同時には見られないと結論付けられる。
【０１４５】
　ＶＣＲ２８の消去ヘッドの操作は上記した如く検知され、ＶＣＲ２８の出力と信号走査チューナ６６の出力は、両者が一致すると決定される様に比較され、ＶＣＲ２８の出力とテレビジョンレシーバ２２’の出力は両者が一致しないことを決定するために上記した如く比較される。
【０１４６】
　図４に示される如く、ＶＣＲ２８の消去ヘッドが機能しておらず、ＶＣＲ２８の出力と信号走査チューナ６６の出力が一致しておらず、ＶＣＲ２８の出力とテレビジョンレシーバ２２’の両者が一致するならば、ＶＣＲ２８が動作モードであると結論付けられる。ＶＣＲ２８の消去ヘッドの操作は上記した様に検知され、ＶＣＲ２８の出力と信号走査チューナ６６の出力が両者が適合していないことを決定することが出来る様に上記した様に比較され、ＶＣＲ２８の出力とテレビジョンレシーバ２２’の出力とはこれらが適合していることを決定することが出来る様に上記した如く比較される。
【０１４７】
　再び図４に示される如く、ＶＣＲ２８の消去ヘッドが機能しておらず、ＶＣＲ２８の出力と信号走査チューナの出力が一致しており、ＶＣＲ２８の出力とテレビジョンレシーバ２２’の出力が一致していないならばＶＣＲ２８が記録あるいは動作しておらず、ＶＣＲ２８は代わりにテレビジョンレシーバ２２’を選局し、カセット（テープ）を巻き戻すために使用される。チューナとしてのＶＣＲ２８の使用はプログラム信号源検知器４４によりなされる。
【０１４８】
　ＶＣＲ２８の消去ヘッドの操作は上記した如く検知され、ＶＣＲ２８の出力及び信号走査チューナ６６の出力の両者が適合していることを検知することが出来る様に、上記した如く比較され、ＶＣＲ２８の出力とテレビジョンレシーバ２２’の出力が、両者が一致していることを決定することが出来る様に上記した如く比較される。
【０１４９】
　デジタル信号処理モジュール７１は、同期信号ピックアップ６０上の同期信号存在、不在を検知することにより、テレビジョンレシーバ２２’のONあるいはOFF状態を検知する。また図３の構成はＶＣＲ２８により表示されるプログラムあるいはテレビジョンレシーバ２２’により表示されるプログラムを認識するために用いられる。
【０１５０】
　ＶＣＲ２８により記録されるプログラム信号に含まれる補助コードを認識するビデオプログラム、あるいはオーディオプログラムは、コードリーダ１１４”により読みとられると共に、デジタル信号処理モジュール７１のメモリに記録される。記録されたビデオプログラム及びオーディオプログラムは、記録されたプログラム信号が逆戻しされる時を決定するために、ＶＣＲ２８の次の映像モードの間に、一致補助コードがコードリーダ１１４”により読みとられるコードと比較される。
【０１５１】
　ビデオプログラム認識補助コード及びオーディオプログラム認識補助コードはＶＣＲ２８の記録モードあるいはそれに続く再生モードの期間内においてコードリーダ１１４”により読みとられ、上記した米国特許５４８１２９４に従う映像とされるプログラムを認識するために用いられる。
【０１５２】
　ビデオプログラム認識補助コード、あるいはオーディオプログラム認識補助コードが記録され、あるいは動作される信号に存在しないならば、ＶＣＲ２８により記録されるプログラム信号のビデオサイン及び／あるいはオーディオプログラムサインはサイン抽出部７０’により抽出され、またデジタル信号処理モジュール７１のメモリに記録される。蓄えられた特有のビデオ及び／且つオーディオサインは、記録されたプログラム信号が逆戻し再生されるかを決定することが出来る様に次の再生モードの間において、サイン抽出部７０’により抽出される信号とサイン相関部により比較される。
【０１５３】
　もし一致が見つかれば、上記米国特許５４８１２９４の教示に従い、記録された及び／または再生されるプログラムを確認することが出来る様に、再生あるいは記録の間において抽出されるサインを、狭い土地の傍受所在地１６により、あるいは信号走査チューナ６６により知られたプログラムから既に抽出されたサインと比較される。同様にして、テレビジョンレシーバ２２’により選局されたプログラム信号のビデオ及び／あるいはオーディオプログラム確認補助コードはテレビジョンレシーバ２２’のビデオ及び／あるいはオーディオ出力のコードリーダ１１４”により読みとられる。
【０１５４】
　ビデオ及び／あるいはオーディオプログラム確認補助コードは前記米国特許５４８１２９４の教示に従って、テレビジョンレシーバ２２’により表示されるプログラムを確認するために用いられる。
【０１５５】
　もし仮に、ビデオ及び／あるいはオーディオプログラム確認補助コードがテレビジョンレシーバ２２’の出力にある信号に存在しないならば、テレビジョンレシーバ２２’の出力にあるプログラム信号の特徴的なビデオ及び／あるいはオーディオプログラムサインがサイン抽出部７０’により抽出される。
【０１５６】
　上記米国特許５４８１２９４の教示に従えば、表示されるプログラムを確認出来る様に、それらのサインは、狭い土地の傍受所在地１６或いは信号走査チューナ６６により知られているプログラムから先に抽出された、知られたサインと比較される。第２ＶＣＲ９４により記録及び／或いは表示されるプログラム、テレビジョンレシーバ２２’により表示されるビデオゲーム２６からのプログラム、テレビジョンレシーバ２２’により表示される広域衛星放送受信器９８からのプログラムは、プログラム認識補助コード及び特徴のあるプログラムサインを通して認識される。
【０１５７】
　しかしながらレンタルされた、或いは購入したカセット（或いはテープ）の再生は先に記録されたプログラムの逆再生よりも度々有るものである。従って、ＶＣＲ２８上に表示されるプログラムが一致を生じない様に認識することが出来る様に、特徴プログラムサインを使用することに殆どの試みが待ち望まれている。
【０１５８】
　しかしながら、プログラム認識補助コードは予め記録されたカセット（或いはテープ）に周期的に付加されており、それ故に多くの場合、統計的に選択された家庭１４に配置されるプログラム信号源検知器４４はＶＣＲ２８により表示されるプログラムを認識することが出来る。
【０１５９】
　本発明のいくつかの変形例は上記した。他の変形例は、本件発明における通常の知識を持つ者で有れば見つけるであろう。例えば、本件発明はテレビジョン視聴者計測システムに関して限定的に記載したが、本件はプログラム認識システムに関連しても使用されることは可能である。
【０１６０】
　また、本件発明はテレビジョンレシーバの受信に関連して述べたが、本件発明はラジオレシーバの様な他のレシーバの受信に関連して使われることも可能である。同様にして、本件発明はＶＣＲｓの受信に関連して述べたが、本件発明はディスクプレーヤ、オーディオカセット及びディスクレコーダ／プレーヤなどの他の記録及び／或いはプレーヤ装置に関連して用いられると共に、ＶＣＲｓよりも構成が複雑でない信号源に関連して用いられる。
【０１６１】
　さらに上記した如く、デジタル信号処理器７０のサイン相関部７０”及びコードリーダ１１４のコード比較部１１４”が統計的に選択された家庭１４に配置されている。しかしながらサイン相関部７０”及びコードリーダ１１４”は中央所在地１８に配置されても良い。
【０１６２】
　さらに上記した如く、サインがテレビジョンレシーバ２２’の出力から、また、地域的なプログラム信号の出力から抽出され、これらのサインはテレビジョンレシーバ２２’により表示されるサインの基として比較される。
【０１６３】
　それらのサインは抽出プログラム信号の必要なしにテレビジョンレシーバ２２’の出力と、テレビジョンレシーバ２２’により表示されるプログラム信号源として確認される信号源の出力とが、アナログ型式或いはデジタル型式の何れかで直接比較される様に、適切なプログラム信号のアナログ或いはデジタル表示を要求する。
【０１６４】
　従って、本件発明の記載は具体例で構成され、当業者には容易に理解される様に本発明を達成するベストモードである。
【０１６５】
　詳細部分については本発明の精神から離れること無く変えることが出来、そして本件クレームの範囲内において全ての変形での使用が可能である。
【図面の簡単な説明】
【０１６６】
【図１】本発明により改良された先行技術の構成要素を概略的に示す図である。
【図２】先行技術に従って明確化された図１の統計的に選択された家庭を極めて詳細に示す図である。
【図３Ａ】本発明の好ましい具体例の概略ブロック図である。
【図３Ｂ】本発明の好ましい具体例の概略ブロック図である。
【図４】図３の装置の使用がなされるＶＣＲ計測を要約化した図である。
【図１】
2004040822.tif 000003
【図２】
2004040822.tif 000004
【図３Ａ】
2004040822.tif 000005
【図３Ｂ】
2004040822.tif 000006
【図４】
2004040822.tif 000007